(57)【特許請求の範囲】
【請求項１】
水中に設置される構造体の側面を構成する立体ネットであって、多角形状の網目が連続して複数画成されてなる網により表面と裏面とが形成され、該表面と裏面とは所定の間隔を有するように複数の剛性の糸により連結されるとともに、上記網目が表面側と裏面側で位置をずらして配置されており、上記剛性の糸は、上記構造体の内側の網から外側の網に向かって下方向に傾斜する傾斜面を形成する剛性の糸であることを特徴とする立体ネット。
【請求項２】
前記立体ネットは、合成繊維がラッセル織りにより成形されてなるものである請求項１に記載の立体ネット。
【請求項３】
前記多角形状の網目の大きさは一辺が５ｍｍ以上３０ｍｍ以下の長さである請求項１または２のいずれか１項に記載の立体ネット。
【請求項４】
請求項１ないし３のいずれか１項に記載の立体ネットを使用した構造体であって、この構造体は、四方の側面を該立体ネットで構成するとともに、底面及び上面を同種の立体ネットで構成し、該立体ネットに囲まれた空間には稀少金属を付着させるための金属捕集材が設置されている稀少金属回収装置であることを特徴とする立体ネットを使用した構造体。
【請求項５】
前記金属捕集材は、紐状の接触材からなる芯材に金属を吸着させるように加工されたループ状の接触材が複数取り付けられたものである請求項４に記載の立体ネットを使用した構造体。
【請求項６】
請求項１ないし３のいずれか１項に記載の立体ネットを使用した構造体であって、この構造体は、四方の側面を該立体ネットで構成するとともに、底面を同種の立体ネットで構成し、又は底面及び上面を同種の立体ネットで構成する生け簀であることを特徴とする立体ネットを使用した構造体。
【請求項７】
請求項１ないし３のいずれか１項に記載の立体ネットを使用した構造体であって、この構造体は、四方の側面を該立体ネットで構成する産卵礁であることを特徴とする立体ネットを使用した構造体。
【請求項８】
請求項１ないし３のいずれか１項に記載の立体ネットを使用した構造体であって、この構造体は、四方の側面を該立体ネットで構成するとともに、底面を同種の立体ネットで構成する生物膜フェンスであることを特徴とする立体ネットを使用した構造体。
【請求項９】
請求項１ないし３のいずれか１項に記載の立体ネットを使用した構造体であって、この構造体は、四方の側面を該立体ネットで構成し、又はさらに底面を同種の立体ネットで構成する動物プランクトン育成フェンスであることを特徴とする立体ネットを使用した構造体。
【発明の詳細な説明】
【０００１】
【発明の属する技術分野】
本発明は、水中に浮遊する構造体であって、四方の側面と底面、又は上面を含めた六面を立体形状のネットで囲まれている多目的立体ネット構造体に関するものである。
【０００２】
【従来の技術】
水中に浮遊又は固定する構造体として魚介類を養殖するものとしては生け簀が一般的に使用されている。又、人工漁礁としての構造体が水中に固定されているものもある。さらに、最近では水中を浮遊する稀少金属（レアメタル）を捕集する捕集装置としての浮遊構造体が注目されてきている。
【０００３】
【発明が解決しようとする課題】
しかしながら、上記水中に浮遊する構造体の四方を囲む網は一般的な漁網や金網等が使用されており、網目の大きさによっては海中を浮遊しているゴミ、スラッジ及び魚介類が通過してしまうので、網目の大きさは小さくならざるをえない。しかし、余り小さくしすぎると例えば生け簀の場合では中で育てられている魚の餌である海中の小魚が通過できないこととなる。
【０００４】
本発明は上記点に鑑み、水中を浮遊するゴミやスラッジの侵入を防止しつつ、小魚を通過させることができ、又は、網目の大きさを調節することにより原生動物を優先的に増殖させることができ、さらには、水中を浮遊する稀少金属を優先的に捕集して動植物の侵入を防止することができる多目的立体ネット構造体を提供することを目的とする。
【０００５】
【課題を解決するための手段】
立体ネットにかかる本発明は、水中に設置される構造体の側面を構成する立体ネットであって、多角形状の網目が連続して複数画成されてなる網により表面と裏面とが形成され、該表面と裏面とは所定の間隔を有するように複数の剛性の糸により連結されるとともに、上記網目が表面側と裏面側で位置をずらして配置されており、上記剛性の糸は、上記構造体の内側の網から外側の網に向かって下方向に傾斜する傾斜面を形成する剛性の糸であることを特徴とする立体ネットを要旨とする。
【０００７】
前記立体ネットは、合成繊維がラッセル織りにより成形されてなるものとすることができる。
【０００８】
又、前記多角形状の網目の大きさは一辺が５ｍｍ以上３０ｍｍ以下の長さで構成することができる。
【００１０】
構造体にかかる本発明は、前記発明のいずれかの構成による立体ネットを使用した構造体であって、この構造体は、四方の側面を該立体ネットで構成するとともに、底面及び上面を同種の立体ネットで構成し、該立体ネットに囲まれた空間には稀少金属を付着させるための金属捕集材が設置されている稀少金属回収装置であることを特徴とする立体ネットを使用した構造体を要旨とする。なお、本発明の装置は、水中に含まれている稀少金属を回収するために水中に設置されるものである。
【００１１】
前記構造体における金属捕集材は、紐状の接触材からなる芯材に金属を吸着させるように加工されたループ状の接触材が複数取り付けられた構成とすることができる。
【００１２】
又、構造体にかかる本発明は、前記発明のいずれかの構成による立体ネットを使用した構造体であって、この構造体は、四方の側面を該立体ネットで構成するとともに、底面を同種の立体ネットで構成し、又は底面及び上面を同種の立体ネットで構成する生け簀であることを特徴とする立体ネットを使用した構造体を要旨とする。なお、本発明の生け簀は、ハマチや牡蠣等の魚介類を養殖するために水中に設置されるものである。
【００１３】
さらに、構造体にかかる本発明は、前記発明のいずれかの構成による立体ネットを使用した構造体であって、この構造体は、四方の側面を該立体ネットで構成する産卵礁であることを特徴とする立体ネットを使用した構造体を要旨とする。なお、本発明の産卵礁は、魚介類が産卵できるように水中に設置されるものである。
【００１４】
又、構造体にかかる本発明は、前記発明のいずれかの構成による立体ネットを使用した構造体であって、この構造体は、四方の側面を該立体ネットで構成するとともに、底面を同種の立体ネットで構成する生物膜フェンスであることを特徴とする立体ネットを使用した構造体を要旨とする。なお、本発明のフェンスは、バクテリア、原生動物、水生植物等が付着して生育するように水中に設置されるものである。
【００１５】
さらに、構造体にかかる本発明は、前記発明のいずれかの構成による立体ネットを使用した構造体であって、この構造体は、四方の側面を該立体ネットで構成し、又はさらに底面を同種の立体ネットで構成する動物プランクトン育成フェンスであることを特徴とする立体ネットを使用した構造体を要旨とする。なお、本発明のフェンスは、動物プランクトンを保護、育成するために水中に設置されるものである。
【００１６】
【発明の実施の形態】
以下、本発明の実施の形態を図面に基づいて説明する。図１は本発明に係る立体ネットの平面図である。この図に示すように立体ネット１の表面は六角形状の網目１ａが複数一体的に形成されてなるものである。又、裏面も同様にして六角形状の網目１ｂが複数一体的に形成されているものである。そして、この一方の面と他方の面は一定間隔をあけて平面方向から見た場合に網目１ａと１ｂとが一致しないようにずらして配置され、多数のフィラメント２により連結されている。尚、この立体ネット１は合成樹脂により一体的に形成しても、合成繊維をラッセル織りしても作成できるものであるが、立体形状が崩れない程度の剛性が必要とされる。
【００１７】
図２は図１に示した立体ネットのＡ−Ａ断面図である。尚、説明上、一部フィラメント２を省略して描いている。前述したように立体ネット１の表面と裏面とでは網目１ａ，１ｂの位置がずれているので、水中を浮遊するスラッジ又はゴミ３は矢印で示すように表面を通過できても裏面の網目１ｂに引っ掛かってしまうので、容易に構造体の内部には侵入することができないのである。一方、小魚４は進行方向を自在に変えて水中を泳ぐことができるので、矢印で示すように容易に構造体内部に侵入することができるのである。
【００１８】
図３は立体ネットを図２のＢ方向からみた図である。この図に示すように立体ネット１の表面を斜め下から見た場合には表面の網目１ａと裏面の網目１ｂとが一致して空隙が多数存在しているように見えるのである。したがって、上述したように小魚が、この構造体内部に侵入することは容易なのである。
【００１９】
図４は本発明に係る立体ネットの他の形状を示す説明図である。この図に示すように裏面の網目１ｂと表面の網目１ａとを連結する多数のフィラメント２が裏面から表面に向かって下方向に傾斜する傾斜面２ａを形成するように配設すれば水中を浮遊するスラッジ又はゴミ３を矢印で示すように、この傾斜面２ａに沿って水底方向に沈降させることができるのである。
【００２０】
図５は上述した立体ネットを使用した構造体の一例を示す図である。この図に示すように構造体５は立体ネット１，１・・によって四方を囲まれており、ネット１の上部には複数のフロート（浮き）６，６・・が取り付けられて構造体５に浮力を与えている。一方、ネット１の下部には錘７，７・・が複数取り付けられていて水流によって構造体５の立体形状が変形しないようにされている。そして、この構造体５の内部には紐状の金属捕集材８，８・・が複数吊り下げられているのである。この捕集材８は水中を浮遊する稀少金属（レアメタル）を捕集するものである。
【００２１】
図６は紐状の金属捕集材を示す図である。この図に示すように金属捕集材８は金属を吸着させるように加工された紐状の接触材からなる芯材８ａに金属を吸着させるように加工されたループ状の接触材８ｂが複数取り付けられたものであり、芯材８ａの下端には錘９が取り付けられて水流に流されて金属捕集材８，８どうしが絡まるのを防いでいる。
【００２２】
図７は立体ネットを使用した構造体の他例を示す図である。構造体５ａは、立体ネット１，１・・によって四方を囲まれており、ネット１の上部には複数のフロート６，６・・が取り付けられてなるユニット５ｂを長手方向に複数連結した構成としている。この構造体５ａの用途の一例としては富栄養化防止生物膜・動物プランクトン育成フェンスを挙げることができる。これは水質浄化に重要な働きをなす動物プランクトンが魚類に捕食されるのを防ぐと同時に、動物プランクトンの餌となり、栄養塩の吸収、有機物の分解及び藻類の捕食作用を有し水質浄化を促す生物膜を育成するフェンスのことをいうものである。
【００２３】
図８及び図９は図７で示した構造体の設置例を示す図である。図８はダム湖１０の両岸に掛け渡すようにして構造体５ａを水中に設置したものであり、図９は河川１１の護岸沿いの水中に構造体５ａを設置したものである。図８に示すダム湖１０等では貯水容量を効率良く確保するために湖岸の水深が急激に落ち込んでおり、湖岸植生帯が殆ど存在しないことから富栄養化が促進され易く、この富栄養化防止生物膜の形成に本発明に係る立体ネット１は適しているのである。何故ならば、立体ネット１は上述のとおり、網目１ａと１ｂとは多数のフィラメント２，２・・により連結されているものなので、フィラメント２，２間にバクテリア、原生動物、水生植物等が着生し易く、生物膜の形成が容易なのである。又、網目１ａと１ｂとが一致しないようにずらして配置されているので、動物プランクトンを捕食する魚類の侵入を防ぐことができるのである。好ましくは、網目１ａ及び１ｂの一辺の長さを５ｍｍ以上３０ｍｍ以下の間で調整して、網目１ａ及び１ｂの最大径が対象となる魚類の大きさの０．７倍以下にした立体ネット１を使用すればよい。さらには、この構造体５ａの内部にブラックバスなどの大型肉食魚を一定期間放流すれば、動物プランクトンを捕食する魚類が大型肉食魚に捕食され、この大型肉食魚は動物プランクトンを殆ど捕食しないので、ミジンコやワムシ等の動物プランクトンの数が増加し、この増殖した動物プランクトンが藻類の異常増殖を抑制して人工貯水池や河川等の水質浄化を図ることができるのである。
【００２４】
尚、本発明の趣旨を逸脱しない範囲において、種々なる実施の態様をとることができることは無論である。例えば、本発明に係る構造体は魚介類の産卵礁として利用することもできるものである。又、図７で示した富栄養化防止生物膜・動物プランクトン育成フェンスとしての構造体５ａ内部に図６で示した金属捕集材８と同様の構成であって、金属を吸着させるように加工されたものではなく、ポリプロピレンビニロンからなるひも状接触材を多数設置すれば、中心部の紐状の接触材からなる芯材８ａには嫌気性微生物を増殖させることができ、外側のループ状の接触材８ｂには好気性微生物を増殖させることができる。
【００２５】
【発明の効果】
以上のように、本発明は、水中に設置される構造体の側面を構成する立体ネットであって、多角形状の網目が連続して複数画成されてなる網により表面と裏面とが形成され、該表面と裏面とは所定の間隔を有するように複数の剛性の糸により連結されるとともに、上記網目が表面側と裏面側で位置をずらして配置されており、上記剛性の糸は、上記構造体の内側の網から外側の網に向かって下方向に傾斜する傾斜面を形成する剛性の糸であることを特徴とする立体ネットを要旨とするので、水中に設置する各種の構造体に利用することができる。また、立体ネットを通過できない浮遊物質を水底に沈降させる効果を高めることができる。
【００２７】
前記立体ネットは、合成繊維がラッセル織りにより成形されてなるものとすることができる。これにより、剛性でありながら弾性力を付与させることができる。
【００２８】
又、前記多角形状の網目の大きさは一辺が５ｍｍ以上３０ｍｍ以下の長さで構成することができる。これにより、水中を浮遊する大きなゴミやスラッジが当該立体ネットを通過するのを防ぐことができる。
【００３０】
構造体にかかる本発明は、前記発明のいずれかの構成による立体ネットを使用した構造体であって、この構造体は、四方の側面を該立体ネットで構成するとともに、底面及び上面を同種の立体ネットで構成し、該立体ネットに囲まれた空間には稀少金属を付着させるための金属捕集材が設置されている稀少金属回収装置であることを特徴とする立体ネットを使用した構造体を要旨とするので、稀少金属を回収するための金属捕集材にゴミが付着するのを防ぐことができる。
【００３１】
前記構造体における金属捕集材は、紐状の接触材からなる芯材に金属を吸着させるように加工されたループ状の接触材が複数取り付けられた構成とすることができる。これにより、捕集された金属を容易に回収することができる。
【００３２】
又、構造体にかかる本発明は、前記発明のいずれかの構成による立体ネットを使用した構造体であって、この構造体は、四方の側面を該立体ネットで構成するとともに、底面を同種の立体ネットで構成し、又は底面及び上面を同種の立体ネットで構成する生け簀であることを特徴とする立体ネットを使用した構造体を要旨とするので、養殖されている魚の餌となる小魚を生け簀内に取り込むことができる。
【００３３】
さらに、構造体にかかる本発明は、前記発明のいずれかの構成による立体ネットを使用した構造体であって、この構造体は、四方の側面を該立体ネットで構成する産卵礁であることを特徴とする立体ネットを使用した構造体を要旨とするので、小魚が産卵するのに適した産卵礁である。
【００３４】
又、構造体にかかる本発明は、前記発明のいずれかの構成による立体ネットを使用した構造体であって、この構造体は、四方の側面を該立体ネットで構成するとともに、底面を同種の立体ネットで構成する生物膜フェンスであることを特徴とする立体ネットを使用した構造体を要旨とするので、バクテリア等が有機物を捕食、分解することにより水質浄化を促す生物膜フェンスとすることができる。
【００３５】
さらに、構造体にかかる本発明は、前記発明のいずれかの構成による立体ネットを使用した構造体であって、この構造体は、四方の側面を該立体ネットで構成し、又はさらに底面を同種の立体ネットで構成する動物プランクトン育成フェンスであることを特徴とする立体ネットを使用した構造体を要旨とするので、立体ネットの網目を動物プランクトンを補食する対象となる小魚の大きさよりも小さくすることにより、小魚は育成フェンス内部に侵入することができず、動物プランクトンを保護、育成することができる。
【図面の簡単な説明】
【図１】本発明に係る立体ネットを示す平面図である。
【図２】図１で示した立体ネットのＡ−Ａ断面図である。
【図３】本発明に係る立体ネットを図２のＢ方向からみた図である。
【図４】本発明に係る他の立体ネットを示す説明図である。
【図５】本発明に係る立体ネットを使用した構造体の一例を示す図である。
【図６】本発明に係る紐状の金属捕集材を示す図である。
【図７】本発明に係る立体ネットを使用した構造体の他例を示す図である。
【図８】図７に示した構造体を設置した状態の一例を示す図である。
【図９】図７に示した構造体を設置した状態の他例を示す図である。
【符号の説明】
１  立体ネット
１ａ，１ｂ  網目
２  フィラメント
３  スラッジ又はゴミ
４  小魚
５  構造体
６  フロート
７，９  錘
８  金属捕集材
【図１】
0004456216.tif 000002
【図２】
0004456216.tif 000003
【図３】
0004456216.tif 000004
【図４】
0004456216.tif 000005
【図５】
0004456216.tif 000006
【図６】
0004456216.tif 000007
【図７】
0004456216.tif 000008
【図８】
0004456216.tif 000009
【図９】
0004456216.tif 000010